(57)【特許請求の範囲】
【請求項１】
給水源から供給された洗浄水が流れる主導水路と、
前記主導水路の下流側に設けられ前記洗浄水を吐水口から吐出させる下流側導水路と、
前記下流側導水路に形成される凸部と
を備え、
前記凸部は、
前記下流側導水路を流れる前記洗浄水を傾斜面に沿って上方へ誘導する第１誘導部と、
前記第１誘導部の下流側に設けられ、前記洗浄水を傾斜面に沿って下方へ誘導する第２誘導部と
を備え、
前記第１誘導部の傾斜面の傾斜角度は、前記第２誘導部の傾斜面の傾斜角度より大きいこと
を特徴とする水洗大便器。
【請求項２】
前記第１誘導部は、
前記洗浄水を上方へ誘導して前記下流側導水路の天面に向かう上昇流を形成するように設けられること
を特徴とする請求項１に記載の水洗大便器。
【請求項３】
前記第２誘導部は、
前記天面に衝突した上昇流が下降して形成される下降流に沿うように傾斜する傾斜面
を備えることを特徴とする請求項２に記載の水洗大便器。
【請求項４】
前記凸部は、
前記第１誘導部と前記第２誘導部との間に設けられ、上面を流れる前記洗浄水を整流して直進流を形成する整流部
を備えることを特徴とする請求項１〜３のいずれか一つに記載の水洗大便器。
【請求項５】
前記整流部は、
前記洗浄水の流れ方向の長さが前記整流部の高さより大きくなるように形成されること  を特徴とする請求項４に記載の水洗大便器。
【請求項６】
前記整流部は、
前記洗浄水の流れ方向の長さが前記整流部の上面から前記下流側導水路の天面までの距離より大きくなるように形成されること
を特徴とする請求項４または５に記載の水洗大便器。
【請求項７】
前記下流側導水路は、
前記洗浄水を第１吐水口から吐出させる第１導水路と、
前記洗浄水を第２吐水口から吐出させる第２導水路と
を含み、
前記凸部は、
前記第１導水路および前記第２導水路に形成されること
を特徴とする請求項１〜６のいずれか一つに記載の水洗大便器。
【請求項８】
前記第１導水路と前記第２導水路との間に設けられ、前記主導水路からの前記洗浄水を前記第１導水路および前記第２導水路へ供給する共通導水路
を備え、
前記共通導水路は、
底面が、前記第１、第２導水路の前記凸部の上面より低くなるように形成されること
を特徴とする請求項７に記載の水洗大便器。
【発明の詳細な説明】
【技術分野】
【０００１】
開示の実施形態は、水洗大便器に関する。
【背景技術】
【０００２】
従来、洗浄水を吐水口から吐水してボウル部へ洗浄水を供給する水洗大便器が知られている（例えば、特許文献１参照）。上記した水洗大便器では、吐水口から吐水された洗浄水を、ボウル部を旋回する旋回流と、ボウル部の下方に設けられた溜水部方向へ流れる下降流の２つの主流に分水し、かかる旋回流および下降流により、汚物を排出するようにしている。
【先行技術文献】
【特許文献】
【０００３】
【特許文献１】特開２０１０−０３１５５１号公報
【発明の概要】
【発明が解決しようとする課題】
【０００４】
しかしながら、従来技術にあっては、吐水口を扁平形状にしたり、吐水口の底面を溜水部側に向かって下り傾斜した形状にしたりすることで、下降流を形成していた。そのため、従来技術では、扁平形状等にした吐水口が使用者によって視認されやすく、意匠性の低下を招くおそれがあった。
【０００５】
実施形態の一態様は、吐水口の形状によらず、溜水部方向へ流れる下降流を形成することができる水洗大便器を提供することを目的とする。
【課題を解決するための手段】
【０００６】
実施形態の一態様に係る水洗大便器は、給水源から供給された洗浄水が流れる主導水路と、前記主導水路の下流側に設けられ前記洗浄水を吐水口から吐出させる下流側導水路と、前記下流側導水路に形成される凸部とを備え、前記凸部は、前記下流側導水路を流れる前記洗浄水を上方へ誘導する第１誘導部と、前記第１誘導部の下流側に設けられ、前記洗浄水を下方へ誘導する第２誘導部とを備えることを特徴とする。
【０００７】
これにより、下流側導水路内で洗浄水を、第１誘導部により上昇させた後に、第２誘導部により下降させるようにしたことから、洗浄水には上昇や下降によって圧力損失が生じる。このような圧力損失が生じると、洗浄水は、下流側導水路の吐水口から吐水されたときに分散しやすくなり、結果としてボウル部では溜水部方向へ流れる下降流が形成されることとなる。すなわち、吐水口の形状によらず、下降流を形成することができる。
【０００８】
また、前記第１誘導部は、前記洗浄水を上方へ誘導して前記下流側導水路の天面に向かう上昇流を形成するように設けられることを特徴とする。
【０００９】
このように、第１誘導部は、天面に向かう上昇流を形成することで、天面での衝突による下降流を確実に形成することが可能になる。
【００１０】
また、前記第２誘導部は、前記天面に衝突した上昇流が下降して形成される下降流に沿うように傾斜する傾斜面を備えることを特徴とする。
【００１１】
これにより、天面から下降する下降流が下流側導水路の底面に衝突しやすくなって、洗浄水に圧力損失を生じさせることができる。圧力損失が生じた洗浄水は、吐水口から吐水されたときに分散しやすく、よって溜水部方向へ流れる下降流が形成されやすくすることができる。
【００１２】
また、前記凸部は、前記第１誘導部と前記第２誘導部との間に設けられ、上面を流れる前記洗浄水を整流して直進流を形成する整流部を備えることを特徴とする。
【００１３】
このように、整流部で形成された直進流は、天面から下降する途中の下降流に合流することとなる。そのため、かかる下降流に吐水口側へ向かうよう指向させることができる。これにより、多くの下降流を吐水口側で下流側導水路の底面に衝突させて圧力損失を生じさせることができ、よって洗浄水が吐水口から吐出された直後から溜水部に向かう流れ、すなわち下降流を形成することができる。
【００１４】
また、前記整流部は、前記洗浄水の流れ方向の長さが前記整流部の高さより大きくなるように形成されることを特徴とする。
【００１５】
これにより、下流側導水路における下降流を確実に形成することができる。すなわち、整流部の高さを高くしすぎると、整流部の上流側で乱流が生じる可能性があるが、上記のような高さに設定されることで、洗浄水は、第１誘導部によって上昇した後に整流部で十分に整流されることとなるため、下流側導水路における下降流を確実に形成することができる。
【００１６】
また、前記整流部は、前記洗浄水の流れ方向の長さが前記整流部の上面から前記下流側導水路の天面までの距離より大きくなるように形成されることを特徴とする。
【００１７】
これにより、整流部において、天面での距離より洗浄水の流れ方向の長さの方が長くなるため、下流側導水路における下降流を整流部若しくは傾斜面に到達させやすく、また乱流の発生も抑制することができる。
【００１８】
また、前記下流側導水路は、前記洗浄水を第１吐水口から吐出させる第１導水路と、前記洗浄水を第２吐水口から吐出させる第２導水路とを含み、前記凸部は、前記第１導水路および前記第２導水路に形成されることを特徴とする。
【００１９】
これにより、第１導水路および第２導水路のそれぞれにおいて下降流を形成することができ、よって溜水部方向へ流れる下降流を確実に形成することができる。
【００２０】
また、前記第１導水路と前記第２導水路との間に設けられ、前記主導水路からの前記洗浄水を前記第１導水路および前記第２導水路へ供給する共通導水路を備え、前記共通導水路は、底面が、前記第１、第２導水路の前記凸部の上面より低くなるように形成されることを特徴とする。
【００２１】
これにより、共通導水路の下流端には、残水が生じることとなる。したがって、主導水路から共通導水路に流入してきた洗浄水が残水で形成された水たまりに衝突する。これにより、洗浄水には圧力損失が生じ、圧力損失が生じた洗浄水は、吐水口から吐水されたときに分散しやすくなり、結果としてボウル部では溜水部方向へ流れる下降流が形成されやすくすることができる。
【発明の効果】
【００２２】
実施形態の一態様によれば、水洗大便器において、吐水口の形状によらず、溜水部方向へ流れる下降流を形成することができる。
【図面の簡単な説明】
【００２３】
【図１】図１は、実施形態に係る水洗大便器の左側面図である。
【図２】図２は、実施形態に係る便器本体の平面図である。
【図３】図３は、図２のIII-III線断面図である。
【図４】図４は、図３のIV-IV線断面における便器本体の断面図である。
【図５】図５は、図４のＶ−Ｖ線断面図である。
【図６】図６は、図４のVI−VI線断面図である。
【発明を実施するための形態】
【００２４】
以下、添付図面を参照して、本願の開示する水洗大便器の実施形態を詳細に説明する。なお、以下に示す実施形態によりこの発明が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２５】
＜水洗大便器の全体構成＞
まず、図１を参照して実施形態に係る水洗大便器１の全体構成について説明する。図１は、実施形態に係る水洗大便器１の左側面図である。また、図１では、壁面８および床面９を断面で示している。
【００２６】
また、図１には、説明を分かりやすくするために、鉛直上向きを正方向とするＺ軸を含む３次元の直交座標系を図示している。かかる直交座標系は、他の図においても図示している場合がある。かかる直交座標系では、Ｙ軸の負方向を前方、Ｙ軸の正方向を後方、Ｘ軸の正方向を右方、Ｘ軸の負方向を左方と規定している。このため、以下の説明において、Ｘ軸方向を左右方向、Ｙ軸方向を前後方向、Ｚ軸方向を上下方向という場合がある。
【００２７】
また、実施形態に係る水洗大便器１は、壁面８に取り付けられる、いわゆる壁掛け式の水洗大便器である。なお、水洗大便器１は、床面９に設置される、いわゆる床置き式の水洗大便器であってもよい。
【００２８】
水洗大便器１は、便器本体２と、局部洗浄装置３とを備える。実施形態に係る水洗大便器１は、洗浄水源から供給される洗浄水により便器本体２を洗浄して汚物を排出する洗い落とし式大便器（ウォッシュダウン式便器）である。なお、水洗大便器１は、サイホン式大便器であってもよい。また、便器本体２は、例えば、陶器製である。便器本体２の詳細については、後述する。
【００２９】
局部洗浄装置３は、洗浄ノズル、ノズル駆動用モータ、モータ制御装置（いずれも不図示）などを備える。局部洗浄装置３は、使用者の局部洗浄用として便器本体２の上部に設けられ、洗浄ノズルから噴出させた洗浄水によって使用者の局部を洗浄する。
【００３０】
水洗大便器１では、貯水タンク４（給水源の一例）に接続された給水配管４ａを経て、便器本体２に洗浄水が供給される。また、水洗大便器１は、汚物を洗浄水と共に排水配管５へ排出する。なお、貯水タンク４は便器本体２の後方に載置され、貯水タンク４から便器本体２へ直接洗浄水を供給するものであってもよい。
【００３１】
また、水洗大便器１は、局部洗浄装置３に局部洗浄用の洗浄水を供給する給水ホース６ａと、局部洗浄装置３に電力を供給する電源ケーブル６ｂとを備える。
【００３２】
＜便器本体＞
次に、実施形態に係る便器本体２について図２〜図４を参照し説明する。図２は、実施形態に係る便器本体２の平面図（上面図）である。図３は、図２のIII-III線断面図である。図４は、図３のIV-IV線断面における便器本体２の断面図である。
【００３３】
図２〜図４に示すように、便器本体２は、ボウル部１０と、リム部１１と、吐水部１２（図２で見えず）と、溜水部１３と、排出部１４とを備える。便器本体２は、吐水部１２によって洗浄水を吐水し、汚物を排出部１４から排出する。
【００３４】
ボウル部１０は、ボウル形状に形成され、汚物を受ける。リム部１１は、ボウル部１０の上縁部に設けられる。リム部１１は、洗浄水が外に飛び出さないように、内側にオーバーハングした形状に形成される。
【００３５】
吐水部１２は、図３および図４に示すように、主導水部２０と、共通導水部２１と、下流側導水部２２とを備える。なお、上記した「下流」とは、吐水部１２における洗浄水の流れ方向を意味する。すなわち、「上流」および「下流」は、給水配管４ａからボウル部１０へ吐水される洗浄水の流れにおける「上流」および「下流」を意味する。
【００３６】
主導水部２０は、給水配管４ａ（図１参照）と接続され、給水配管４ａから洗浄水が供給される。具体的には、主導水部２０には、主導水路２０ａが形成され、給水配管４ａから供給された洗浄水が主導水路２０ａに流通する。すなわち、主導水路２０ａには、給水源となる貯水タンク４（図１参照）から供給された洗浄水が流れる。
【００３７】
共通導水部２１は、主導水部２０の下流側に配置され、主導水路２０ａから洗浄水が流入する。具体的には、共通導水部２１には、共通導水路２１ａが形成され、主導水路２０ａから供給された洗浄水が共通導水路２１ａに流通する。なお、共通導水部２１には、突出部４０が形成されるが、これについては後述する。
【００３８】
下流側導水部２２は、図４に示すように、共通導水部２１の下流側に配置される。下流側導水部２２には、複数の下流側導水路３０と、複数の吐水口３１が形成される。例えば、下流側導水路３０は、第１導水路３０ａと、第２導水路３０ｂとを含む。また、吐水口３１は、第１吐水口３１ａと、第２吐水口３１ｂとを含む。
【００３９】
第１導水路３０ａは、ボウル部１０の後方から左方へ向けてリム部１１に沿って形成される。第１導水路３０ａの下流側の端部には、上記した第１吐水口３１ａが形成される。かかる第１吐水口３１ａは、例えばリム部１１の左方の中央付近に位置される。
【００４０】
したがって、主導水路２０ａから共通導水路２１ａを介して第１導水路３０ａへ流れた洗浄水は、上面視で反時計回りに流れ、その後第１吐水口３１ａからボウル部１０へ吐水される。すなわち、第１導水路３０ａは、供給された洗浄水を第１吐水口３１ａから吐出させる。
【００４１】
第２導水路３０ｂは、ボウル部１０の後方にリム部１１に沿って形成される。また、第２導水路３０ｂは、流路の途中で洗浄水の流れ方向を屈曲させる屈曲部位３０ｂ１を備える。具体的には、第２導水路３０ｂの屈曲部位３０ｂ１は、ボウル部１０の前方へ向けて流れる洗浄水の流れ方向を屈曲させて、より具体的にはＵターンさせて、ボウル部１０の後方へ向ける。第２導水路３０ｂの下流側の端部には、上記した第２吐水口３１ｂが形成される。かかる第２吐水口３１ｂは、例えばリム部１１の右後方に位置される。
【００４２】
したがって、主導水路２０ａから共通導水路２１ａを介して第２導水路３０ｂへ流れた洗浄水は、上面視で時計回りに流れた後、屈曲部位３０ｂ１で流れ方向が反転されて反時計回りとなる。その後、洗浄水は、第２吐水口３１ｂからボウル部１０へ反時計回りに吐水される。すなわち、第２導水路３０ｂは、供給された洗浄水を第２吐水口３１ｂから吐出させる。
【００４３】
このように、下流側導水路３０は、主導水路２０ａおよび共通導水路２１ａの下流側に設けられ、洗浄水を吐水口３１から吐出させる。なお、下流側導水路３０および吐水口３１の数は、上記に限定されるものではない。すなわち、例えば下流側導水路３０および吐水口３１は、１つあるいは３つ以上設けられてもよい。また、共通導水路２１ａは、第１導水路３０ａと第２導水路３０ｂとの間に設けられ、主導水路２０ａからの洗浄水を第１導水路３０ａおよび第２導水路３０ｂへ供給する。言い換えると、共通導水部２１では、共通導水路２１ａが第１導水路３０ａと第２導水路３０ｂとに分岐される。そのため、共通導水部２１は、分岐部であるともいえる。
【００４４】
また、第１吐水口３１ａおよび第２吐水口３１ｂから吐水された洗浄水は、ボウル部１０において旋回流Ｄａ１，Ｄｂ１と、下降流Ｄａ２，Ｄｂ２とに分水されるが、これについては後述する。
【００４５】
第１、第２吐水口３１ａ，３１ｂから吐水された洗浄水は、ボウル部１０を洗浄し、溜水部１３および排出部１４を介して、排水配管５（図１参照）から汚物を排出する。
【００４６】
溜水部１３は、図３に示すように、ボウル部１０の下方に設けられる。溜水部１３は、洗浄水の一部が溜まり、封水として機能することで、排出部１４からの臭気等がボウル部１０側へ逆流することを防止する。排出部１４には、排出路１４ａが形成される。排出路１４ａは、排水配管５（図１参照）に接続される。
【００４７】
ここで、共通導水部２１に形成される突出部４０について説明する。図３および図４に示すように、突出部４０は、共通導水路２１ａの内側方向に向けて突出するように形成される。具体的には、突出部４０は、共通導水路２１ａを形成する共通導水部２１の底面２１ｂから上方に向けて突出する。突出部４０は、頂部４１と、傾斜部４２とを備える。
【００４８】
頂部４１は、面状に形成される。傾斜部４２は、頂部４１と底面２１ｂとを接続するように形成される。傾斜部４２は、頂部４１から左右方向、および前方に向けて下り傾斜で形成される。
【００４９】
これにより、共通導水路２１ａに流入した洗浄水の一部は、突出部４０に衝突し、第１導水路３０ａおよび第２導水路３０ｂに流入する。具体的には、突出部４０は、共通導水部２１の底面２１ｂから上方に向けて突出しているため、重力によって底面２１ｂ側を流れる洗浄水の流れ方向をスムーズに変更し、洗浄水が第１導水路３０ａおよび第２導水路３０ｂに流入する。これにより、水洗大便器１は、第１、第２導水路３０ａ，３０ｂに洗浄水を分流する際に、第１、第２導水路３０ａ，３０ｂに洗浄水をスムーズに導くことができる。
【００５０】
ところで、上記したように、第１、第２吐水口３１ａ，３１ｂから吐水された洗浄水が、旋回流Ｄａ１，Ｄｂ１と、下降流Ｄａ２，Ｄｂ２とに分水されると、水洗大便器１における汚物を効率良く排出させることができる。
【００５１】
詳しくは、旋回流Ｄａ１，Ｄｂ１は、ボウル部１０の外周側を旋回し、ボウル部１０の汚物受け面１０ａに付着した汚物等を効率良く溜水部１３側へ誘導することができる。下降流Ｄａ２，Ｄｂ２は、溜水部１３の溜水中に浮いている浮遊汚物等を排出部１４の排出路１４ａへ押し込む流れであるため、浮遊汚物等を効率良く排出することができる。
【００５２】
ここで、従来技術では、下降流を形成するため、吐水口を扁平形状にしたり、吐水口の底面を溜水部側に向かって下り傾斜した形状にしたりしていた。しかしながら、このような扁平形状の吐水口は、使用者に視認されやすく、意匠性の低下を招くおそれがあった。
【００５３】
そこで、本実施形態に係る水洗大便器１は、第１、第２吐水口３１ａ，３１ｂの形状によらず、溜水部１３方向へ流れる下降流を形成することができるような構成とした。
【００５４】
以下、かかる構成について詳説すると、本実施形態に係る水洗大便器１は、図４に示すように、下流側導水路３０に形成される凸部５０を備える。具体的には、凸部５０は、下流側導水路３０である第１導水路３０ａおよび第２導水路３０ｂに形成される。なお、凸部５０は、第１導水路３０ａおよび第２導水路３０ｂのいずれか一方に形成されてよい。
【００５５】
以下、第１導水路３０ａに形成される凸部５０を「第１凸部５１」、第２導水路３０ｂに形成される凸部５０を「第２凸部５２」と記載する場合があるが、これらを特に区別せずに説明する場合には「凸部５０」と記載する。
【００５６】
第１凸部５１は、例えば第１導水路３０ａの上流端付近から、下流端にある第１吐水口３１ａに亘って形成される。言い換えると、第１凸部５１は、第１導水路３０ａの洗浄水の流れ方向において全域あるいは略全域に亘って形成される。
【００５７】
なお、上記した第１凸部５１が形成される第１導水路３０ａの領域は、あくまでも例示であって限定されるものではない。すなわち、例えば、第１凸部５１は、第１導水路３０ａの下流側の領域や上流側の領域など部分的に形成されてもよい。
【００５８】
第２凸部５２は、例えば第２導水路３０ｂの上流端付近から屈曲部位３０ｂ１に亘って形成される。詳しくは、第２凸部５２は、第２導水路３０ｂの上流端付近から、屈曲部位３０ｂ１において洗浄水の流れ方向を屈曲させる部分の上流側の位置に亘って形成される。
【００５９】
なお、上記した第２凸部５２が形成される第２導水路３０ｂの領域は、あくまでも例示であって限定されるものではない。すなわち、例えば、第２凸部５２は、第２導水路３０ｂの屈曲部位３０ｂ１より下流側の領域など部分的に形成されてもよし、第２導水路３０ｂの全域あるいは略全域に亘って形成されてもよい。
【００６０】
第１凸部５１は、第１誘導部５１ａと、整流部５１ｂと、第２誘導部５１ｃとを備える。同様に、第２凸部５２は、第１誘導部５２ａと、整流部５２ｂと、第２誘導部５２ｃとを備える。
【００６１】
以下では、第１凸部５１について詳細に説明するが、第１凸部５１と第２凸部５２とは、同様の構成であるため、以下の第１凸部５１の説明は、第２凸部５２にも概ね妥当する。
【００６２】
図５は、図４のＶ−Ｖ線断面図である。なお、図５は、第１導水路３０ａに形成された第１凸部５１の断面図である。図５に示すように、第１凸部５１は、第１導水路３０ａの内側方向に向けて突出するように形成される。例えば、第１凸部５１は、第１導水路３０ａの底面３０ａ１から上方に向けて突出するように形成される。
【００６３】
具体的には、上記した第１凸部５１の第１誘導部５１ａは、第１導水路３０ａの底面３０ａ１から上方に向かって立設される。言い換えると、第１誘導部５１ａは、第１導水路３０ａの底面３０ａ１から立設される壁部である。詳しくは、第１誘導部５１ａは、傾斜面５１ａ１を有し、第１導水路３０ａを流れる洗浄水を傾斜面５１ａ１に沿って上方へ誘導する。
【００６４】
第２誘導部５１ｃは、第１誘導部５１ａの下流側に設けられる。第２誘導部５１ｃも、第１導水路３０ａの底面３０ａ１から上方に向かって立設される。言い換えると、第２誘導部５１ｃは、第１導水路３０ａの底面３０ａ１から立設される壁部である。また、第２誘導部５１ｃは、傾斜面５１ｃ１を有し、第１導水路３０ａを流れる洗浄水を傾斜面５１ｃ１に沿って下方へ誘導する。
【００６５】
このように、本実施形態にあっては、第１導水路３０ａ内で洗浄水を、第１誘導部５１ａにより上昇させた後に、第２誘導部５１ｃにより下降させるようにしたことから、洗浄水には上昇や下降によって圧力損失が生じる。このような圧力損失が生じると、洗浄水は、第１導水路３０ａの第１吐水口３１ａから吐水されたときに分散しやすくなり、結果としてボウル部１０では溜水部１３方向へ流れる下降流Ｄａ２（図４参照）が形成されることとなる。すなわち、本実施形態にあっては、第１吐水口３１ａなどの吐水口３１の形状を変更することなく、下降流Ｄａ２を形成することができる。
【００６６】
また、第１凸部５１は、第１導水路３０ａおいて、第１吐水口３１ａの付近に設けられるため、第２誘導部５１ｃで下降させられた洗浄水が第１吐水口３１ａに近い位置で形成されることとなる。これにより、洗浄水は、第１吐水口３１ａから吐水されたときにより分散しやすくなり、下降流Ｄａ２を確実に形成することができる。
【００６７】
第１凸部５１についてさらに詳しく説明する。第１誘導部５１ａは、上記したように、第１導水路３０ａの底面３０ａ１から上方に向かって立設される。そのため、矢印Ａ１で示すように、共通導水路２１ａから流入される洗浄水の一部は、第１誘導部５１ａに衝突し、上方へ誘導される（矢印Ａ２参照）。詳しくは、洗浄水の一部は、傾斜面５１ａ１に衝突した後、傾斜面５１ａ１に沿って上方へ誘導される。
【００６８】
このとき、第１誘導部５１ａによって上方へ誘導された洗浄水の多くは、第１導水路３０ａの天面３０ａ２に衝突する。すなわち、第１誘導部５１ａは、洗浄水を上方へ誘導して第１導水路３０ａの天面３０ａ２に向かう上昇流を形成するように設けられる。
【００６９】
このように、本実施形態にあっては、第１誘導部５１ａとの衝突により洗浄水に圧力損失を生じさせ、よって洗浄水が第１吐水口３１ａから吐水されたときに分散して、下降流Ｄａ２が形成されやすくすることができる。また、第１誘導部５１ａは、天面３０ａ２に向かう上昇流を形成することで、後述するように、天面３０ａ２での衝突による下降流を確実に形成することが可能になる。
【００７０】
上記のように、上昇流が天面３０ａ２に衝突すると、矢印Ａ３で示すような、下方に向かう下降流が形成される。かかる下降流が形成される位置には、第２誘導部５１ｃが設けられる。第２誘導部５１ｃの傾斜面５１ｃ１は、天面３０ａ２に衝突した上昇流が下降して形成される下降流に沿うように傾斜している。
【００７１】
これにより、天面３０ａ２から下降する下降流が第１導水路３０ａの底面３０ａ１に衝突しやすくなって、洗浄水に圧力損失を生じさせることができる。圧力損失が生じた洗浄水は、第１吐水口３１ａから吐水されたときに分散しやすく、よって下降流Ｄａ２が形成されやすくすることができる。
【００７２】
整流部５１ｂは、第１誘導部５１ａと第２誘導部５１ｃとの間に設けられる。整流部５１ｂは、上面５１ｂ１を流れる洗浄水を整流して直進流（矢印Ａ４参照）を形成する。
【００７３】
整流部５１ｂで形成された直進流は、天面３０ａ２から下降する途中の下降流に合流することとなる。そのため、かかる下降流に第１吐水口３１ａ側へ向かうよう指向させることができる。これにより、多くの下降流を第１吐水口３１ａ側で底面３０ａ１に衝突させて圧力損失を生じさせることができ、よって洗浄水が第１吐水口３１ａから吐出された直後から溜水部１３に向かう流れ、すなわち下降流Ｄａ２を形成することができる。
【００７４】
なお、例えば仮に、第１凸部５１が整流部５１ｂを備えていない場合、第１凸部５１を乗り越えた洗浄水が壁面に沿った流れとなって乱流が形成されてしまい、所望の下降流Ｄａ２が形成されにくくなる。
【００７５】
次いで、第１凸部５１の寸法について説明する。第１凸部５１において、整流部５１ｂは、洗浄水の流れ方向の長さＤが整流部５１ｂの高さＨより大きくなるように形成される（Ｄ＞Ｈ）。
【００７６】
例えば仮に、整流部５１ｂの高さＨを高くしすぎると、整流部５１ｂの上流側で乱流が生じる可能性があるが、上記のような高さＨに設定されることで、洗浄水は、第１誘導部５１ａによって上昇した後に整流部５１ｂで十分に整流されることとなるため、第１導水路３０ａにおける下降流を確実に形成することができる。
【００７７】
また、整流部５１ｂは、洗浄水の流れ方向の長さＤが整流部５１ｂの上面５１ｂ１から第１導水路３０ａの天面３０ａ２までの距離Ｗより大きくなるように形成される（Ｄ＞Ｗ）。
【００７８】
このように、整流部５１ｂにおいて、天面３０ａ２までの距離Ｗより洗浄水の流れ方向の長さＤの方が長くなるため、第１導水路３０ａにおける下降流を整流部５１ｂ若しくは傾斜面５１ｃ１に到達させやすく、また乱流の発生も抑制することができる。
【００７９】
なお、例えば第１誘導部５１ａの傾斜面５１ａ１の傾斜角度は、第２誘導部５１ｃの傾斜面５１ｃ１の傾斜角度より大きく設定される。すなわち、傾斜面５１ａ１は、傾斜面５１ｃ１より傾斜が急になるように形成される。これにより、洗浄水の一部を、傾斜面５１ａ１に衝突させやすくすることができ、洗浄水に圧力損失を生じさせ、よって洗浄水が第１吐水口３１ａから吐水されたときに分散して、下降流Ｄａ２が形成されやすくすることができる。
【００８０】
なお、上記では、傾斜面５１ａ１の傾斜角度が傾斜面５１ｃ１の傾斜角度より大きく設定されるようにしたが、これはあくまでも例示であって限定されるものではなく、例えば、傾斜面５１ａ１の傾斜角度が傾斜面５１ｃ１の傾斜角度と同じに設定されたり、小さく設定されたりしてもよい。
【００８１】
上記のように構成された凸部５０（第１凸部５１および第２凸部５２）は、図４に示すように、第１導水路３０ａおよび第２導水路３０ｂに形成される。
【００８２】
これにより、第１導水路３０ａおよび第２導水路３０ｂのそれぞれにおいて下降流を形成することができ、よって溜水部１３方向へ流れる下降流Ｄａ２，Ｄｂ２を確実に形成することができる。
【００８３】
なお、第１凸部５１と第２凸部５２とは、互いに形状が異なるように形成されるが、これに限られず、同じ形状に形成されてもよい。すなわち、第１凸部５１と第２凸部５２とは、例えば第１誘導部５１ａ，５２ａの傾斜角度、第２誘導部５１ｃ，５２ｃの傾斜角度、整流部５１ｂ，５２ｂの長さＤ、高さＨ、天面３０ａ２までの距離Ｗなどが、互いに異なる値に設定されてもよいし、同じ値に設定されてもよい。
【００８４】
次に、凸部５０と共通導水路２１ａとの高さの関係について図６を参照して説明する。図６は、図４のVI−VI線断面図である。図６に示すように、共通導水路２１ａは、底面２１ｂが、第１、第２導水路３０ａ，３０ｂの第１凸部５１および第２凸部５２の上面（すなわち整流部５１ｂ，５２ｂの上面５１ｂ１，５２ｂ１）より所定高さＨａだけ低くなるように形成される。なお、上記した共通導水路２１ａの底面２１ｂには、突出部４０も含まれる。
【００８５】
これにより、共通導水路２１ａの下流端には、残水Ｂが生じることとなる。したがって、主導水路２０ａ（図４参照）から流入してきた洗浄水が残水Ｂで形成された水たまりに衝突する。これにより、洗浄水には圧力損失が生じ、圧力損失が生じた洗浄水は、第１吐水口３１ａや第２吐水口３１ｂから吐水されたときに分散しやすくなり、結果としてボウル部１０では溜水部１３方向へ流れる下降流Ｄａ２，Ｄｂ２（図４参照）が形成されやすくすることができる。
【００８６】
上述してきたように、実施形態に係る水洗大便器１は、主導水路２０ａと、下流側導水路３０と、凸部５０とを備える。主導水路２０ａは、給水源から供給された洗浄水が流れる。下流側導水路３０は、主導水路２０ａの下流側に設けられ洗浄水を吐水口３１から吐出させる。凸部５０は、下流側導水路３０に形成される。また、凸部５０は、下流側導水路３０を流れる洗浄水を上方へ誘導する第１誘導部５１ａ，５２ａと、第１誘導部５１ａ，５２ａの下流側に設けられ、洗浄水を下方へ誘導する第２誘導部５１ｃ，５２ｃとを備える。これにより、吐水口３１の形状によらず、溜水部１３方向へ流れる下降流Ｄａ２，Ｄｂ２を形成することができる。
【００８７】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００８８】
１    水洗大便器
４    貯水タンク（給水源）
１０    ボウル部
１２    吐水部
１４    排出部
２０    主導水部
２０ａ  主導水路
２１    共通導水部
２１ａ  共通導水路
２２    下流側導水部
５０    凸部
５１ａ，５２ａ  第１誘導部
５１ｃ，５２ｃ  第２誘導部
【図１】
0006981488.tif 000002
【図２】
0006981488.tif 000003
【図３】
0006981488.tif 000004
【図４】
0006981488.tif 000005
【図５】
0006981488.tif 000006
【図６】
0006981488.tif 000007